(57)【要約】      （修正有）【課題】紙幣通路は貨幣供給容器から取り出した紙幣を支払う位置へ送り、選び出された紙幣を支払われる位置へ送る構造体を結合した紙幣出金装置を提供すること。【解決手段】紙幣通路及び貨幣供給容器は統合貨幣支払い構造体を形成し、一時的に構造的に結合される。紙幣通路は貨幣が拒絶される位置へ送り、リジェクト容器は拒絶された貨幣を垂直方向に配向された状態で束状に保持する。貨幣は容器の開放上端から使用者に接近可能で紙幣通路及び貨幣供給容器は構造体を形成するように一時的に結合される。ピッカは構造体内に位置決めされ、ピッカは貨幣を貨幣供給容器から選び出し紙幣通路へ送る所定の小路に沿って移動させる。ピッカは所定の小路と直交する方向に摺動し、構造体内の所定位置から取り外し可能で、取付機構は貨幣支払い構造体を壁上で支持し、貨幣は取付機構を介して使用者へ支払われる。貨幣支払い構造体は、自立式且つ硬質である。【選択図】図１
2007004794.tif 000002
【特許請求の範囲】
【請求項１】
貨幣供給容器から選び出された貨幣を、貨幣が支払われる位置へ送る紙幣通路を含み、該紙幣通路及び該貨幣供給容器は統合貨幣支払い構造体を形成するべく、少なくとも一時的に構造的に連結され、該貨幣供給容器及び該紙幣通路の少なくとも一方は他方が存在しない状態では機能的に不完全である
ことを特徴とする装置。
【請求項２】
前記貨幣供給容器は貨幣を支持する壁を欠いており、該壁は前記統合貨幣支払い構造体の紙幣通路によって提供されることを特徴とする請求項１の装置。
【請求項３】
前記貨幣供給容器の側壁は前記紙幣通路によって提供される壁と結合されることを特徴とする請求項２の装置。
【請求項４】
前記貨幣供給容器の側壁の各々は上側位置及び下側位置において、前記通路と結合されることを特徴とする請求項２の装置。
【請求項５】
前記貨幣供給容器はピッカによって、該供給容器に蓄えられた貨幣に接近可能であるように構成され、また前記紙幣通路は該ピッカから送られた貨幣を受け取るように構成されることを特徴とする請求項１の装置。
【請求項６】
前記貨幣供給容器は概ね箱型であると共に、該貨幣供給容器を前記紙幣通路と結合するために、該箱からの一体式延長部を含むことを特徴とする請求項５の装置。
【請求項７】
前記一体式延長部は前記ピッカの下側に延在すると共に、前記紙幣通路に取り付けられることを特徴とする請求項６の装置。
【請求項８】
前記ピッカが装着された時には、前記一体式延長部の両側は該ピッカの側壁と結合されることを特徴とする請求項６の装置。
【請求項９】
前記貨幣供給容器の基部下側は、前記統合貨幣供給構造体に構造的な強度を与える成形補強構成を含むことを特徴とする請求項１の装置。
【請求項１０】
制御エレクトロニクスは前記貨幣供給容器の基部に収容されると共に、前記補強構成により支持されることを特徴とする請求項９の装置。
【請求項１１】
前記貨幣供給容器は前記統合貨幣支払い構造体を据え付けるための成形脚部を含むことを特徴とする請求項１の装置。
【請求項１２】
前記貨幣供給容器は前記ピッカが結合する電気ターミナルを含むことを特徴とする請求項５の装置。
【請求項１３】
前記貨幣供給容器は該容器内にあり且つ支払いの準備が整った貨幣の束へ圧力を作用させるために板を含むと共に、該板を前後に案内して該貨幣束へ接近離間させるために一片案内レールを含み、該案内レール片は該貨幣供給容器の床を形成することを特徴とする請求項１の装置。
【請求項１４】
前記一片案内レールはその両端において前記貨幣供給容器の夫々の側壁へ留められると共に、該側壁へ構造的な強度を与えることを特徴とする請求項１３の装置。
【請求項１５】
前記板は前記貨幣束へ付勢されると共に、該装置はまた貨幣を積むべく、該板を該貨幣束から離れた状態に保持するために固定機構を含むことを特徴とする請求項１３の装置。
【請求項１６】
前記固定機構は、前記貨幣供給容器の前壁に形成された穴を通り結合する２個のプラスチック要素から形成される回転キーを含むことを特徴とする請求項１５の装置。
【請求項１７】
貨幣供給容器から取り出された貨幣を、貨幣が支払われる位置或いは貨幣が拒絶される位置へ送る紙幣通路と、
拒絶された貨幣を束で保持するように構成されるリジェクト容器とを含み、該リジェクト容器では該貨幣は垂直方向に向けられると共に、該貨幣は使用者へ該容器の開放上端から接近可能である
ことを特徴とする装置。
【請求項１８】
前記リジェクト容器は単独一体片を含むことを特徴とする請求項１７の装置。
【請求項１９】
前記リジェクト容器は、前記紙幣通路のリジェクト小路から重力によって送り込まれた貨幣を受け取るために、上端に垂直方向に構成される箱開口を含むことを特徴とする請求項１７の装置。
【請求項２０】
前記リジェクト容器は、重力によって送り込まれた貨幣を、前記紙幣通路に取り付けられた該リジェクト容器へ向けるように傾斜が付けられた後壁を含むことを特徴とする請求項１９の装置。
【請求項２１】
前記リジェクト容器は、重力によって該リジェクト容器へ送り込まれた貨幣の各々が、該トレイが満杯になるまで垂直方向に、且つ連続した貨幣の各々が先の貨幣の前に置かれる位置へ向けられるように角度が付けられた底床を含むことを特徴とする請求項１９の装置。
【請求項２２】
貨幣供給容器から取り出された貨幣を、該貨幣が支払われる位置へ送る紙幣通路と、該紙幣通路及び該貨幣供給容器は構造体を形成するために、少なくとも一時的に結合され、
前記構造体内の所定位置にあるピッカとを含み、該ピッカは貨幣を前記貨幣供給容器から取り出すと共に、該貨幣を前記紙幣通路へ搬送する所定の小路に沿って移動させることが可能であり、
前記ピッカは該ピッカを前記所定の小路と直交する方向へ摺動させることにより、前記構造体内の位置から取り外し可能である
ことを特徴とする装置。
【請求項２３】
前記ピッカは定期的な維持管理を必要とする抗バックアップローラを含むことを特徴とする請求項２２の装置。
【請求項２４】
前記ピッカは単一の手動ノブを使用して、前記位置へ掛け止められ、且つ該位置から掛け外されることを特徴とする請求項２２の装置。
【請求項２５】
前記ピッカの摺動を助けるために、案内機能を含むことを特徴とする請求項２２の装置。
【請求項２６】
貨幣供給容器と、該貨幣供給容器から取り出された貨幣を、壁を介して使用者へ該貨幣が支払われる位置へ送る紙幣通路と、該紙幣通路からそらされ且つ該壁を介して支払われなかった貨幣を受け取るリジェクトトレイとを含む貨幣支払い構造体と、
前記貨幣支払い構造体を前記壁上で支持する取付機構とを含み、該貨幣支払い構造体は付加的な支持体を要することなく自立式且つ硬質である
ことを特徴とする装置。
【請求項２７】
前記取付機構は、前記壁と対向する前記貨幣支払い構造体の側面の上端近くに、取付要素を含むことを特徴とする請求項２６の装置。
【請求項２８】
前記取付要素はピンを含み、各ピンは前記貨幣支払い構造体に連結される一端と、前記壁と平行な方向へ該貨幣支払い構造体から突出する自由端とを有することを特徴とする請求項２７の装置。
【請求項２９】
前記取付機構は４個のピンを含み、その中の２個は前記貨幣支払い機構を前記壁上で支持するのに適当であることを特徴とする請求項２７の装置。
【請求項３０】
ピッカが貨幣を貨幣供給容器から取り出し、且つ貨幣が支払われる紙幣通路へ送る所定の小路に沿って取り出された貨幣を移動させる位置からピッカを取り外す工程を含み、該ピッカは前記所定の小路と直交する方向に摺動させることにより取り外されることを特徴とする方法。
【請求項３１】
前記ピッカの一端にあるロケータを前記紙幣通路のレセプタと結合させる工程も含むことを特徴とする請求項３０の方法。
【請求項３２】
前記ピッカを所定位置に保持するために、タブロックを作動させる工程も含むことを特徴とする請求項３０の方法。
【発明の詳細な説明】
【技術分野】
【０００１】
本説明は貨幣の出金に関する。
【背景技術】
【０００２】
貨幣支払機は例えば現金自動預払機（ＡＴＭ）に見られ、所謂店外（例えば空港、食料品店、又は金融機関によって制御されない他の場所）で使用されるものを含む。
一般的な貨幣支払機はカセットと呼ばれる取り外し可能な供給容器を含む。貨幣の束はカセットに積み入れられ、その後に支払機へ送られ且つ積み入れられる。
【０００３】
支払機は使用者が現金を要求した時に、ＡＴＭの制御回路からの信号を受信する。信号は例えば、使用者へ２０ドル札で３００ドル支払うように支払機へ指示する。
支払機は供給容器から必要な数の札を次々取り出す紙幣運搬機構を含む。取り出された各貨幣は紙幣路に沿って、貨幣が外界へ放出される位置へ送り込まれ、そこで使用者は貨幣を手にする。
【０００４】
紙幣路に沿って移動する貨幣が支払われるべきではないと支払機が判定するならば、貨幣は固定レジェクトカセットへそらされる。
貨幣支払機の一例は、２００５年５月１２日に発行された特許文献１に示されており、その内容はここに開示されたものとする。
【特許文献１】米国特許出願公開第２００５００９８６２２号明細書
【発明の開示】
【発明が解決しようとする課題】
【０００５】
全般に一態様において、紙幣通路は貨幣供給容器から取り出された貨幣を、貨幣が支払われる位置へ送り、紙幣通路及び貨幣供給容器は統合貨幣支払い構造体を形成するべく、少なくとも一時的に構造的に結合され、また貨幣供給容器及び紙幣通路の少なくとも一方は他方がない状態では機能的に不完全である。
【課題を解決するための手段】
【０００６】
実行には１以上の以下の特徴を含む。貨幣供給容器は貨幣を支持するために壁を欠いており、壁は統合貨幣支払い構造体の紙幣通路によって得られる。貨幣供給容器の側壁は紙幣通路によって得られる壁と連結される。貨幣供給容器の側壁は各々、上側位置及び下側位置において通路壁と連結される。貨幣供給容器は供給容器に収容された貨幣へピッカによって接近できるように構成されると共に、紙幣通路はピッカから送られた貨幣を受け取るように構成される。貨幣供給容器は概して箱状であると共に、貨幣供給容器を紙幣通路と結合するために、箱からの一体式延長部を含む。一体式延長部はピッカの下に延出すると共に、紙幣通路に取り付けられる。ピッカが装着された時には、一体式延長部の両側はピッカの側壁と連結される。貨幣供給容器の基部下側は、統合貨幣支払い構造体に構造的な強度を与える成形補強構成を含む。制御エレクトロニクスは貨幣供給容器の基部に収容されると共に、補強構成によって支持される。貨幣供給容器は統合貨幣支払い構造体を据え付けるために成形脚部を含む。貨幣供給容器はピッカが結合する電気端子を含む。貨幣供給容器は容器内にある貨幣の束へ圧力を作用させて支払いの準備をするために板を含むと共に、板を前後に案内して貨幣の束に対して接近離間させる一片案内レールを含み、案内レール片は貨幣供給容器の床部を形成する。一片案内レールはその両端において貨幣供給容器の側壁夫々に留められると共に、側壁へ構造的な強度を与える。板は貨幣束へ付勢されると共に、装置は貨幣積み入れのために、板を貨幣束から離れた状態に維持する固定機構も含む。固定機構は、貨幣供給容器の前壁に形成された穴を介して結合する２個のプ
ラスチック要素から形成される回転キーを含む。
【０００７】
全般に別の態様において、紙幣通路は貨幣供給容器から取り出された貨幣を、貨幣が支払われる位置へ、或いは貨幣が拒絶される位置へ送り、レジェクト容器は拒絶された貨幣束を貨幣が垂直方向に配向された状態で保持し、且つ貨幣は容器の開放上端から使用者へ接近可能である。
【０００８】
実行には１以上の以下の特徴を含む。レジェクト容器は単一の一体片を含む。レジェクト容器は重力によって紙幣通路のリジェクト路から送り込まれた貨幣を受け取るために、垂直方向に構成された箱開口を上端に含む。レジェクト容器は重力によって送り込まれた貨幣を紙幣通路に取り付けられたレジェクト容器へ導くように傾斜させられた後壁を含む。レジェクト容器は重力によってレジェクト容器へ送り込まれた貨幣各々が、トレイが満杯になるまで垂直方向に且つ連続した貨幣の各々が先の貨幣の直前に置かれる位置に配向させられるように、角度が付けられた底床を含む。
【０００９】
全般に別の態様において、紙幣通路は貨幣供給容器から取り出された貨幣を、貨幣が支払われる位置へ送る。紙幣通路及び貨幣供給容器は、構造体を形成するために、少なくとも一時的に連結される。ピッカは貨幣供給容器から貨幣を取り出し、且つその貨幣を紙幣通路へ送るために所定の小路に沿って移動させ得るように、構造体内に位置決めされる。また、ピッカは所定の小路と直交する方向へ摺動することにより、構造体内の位置から取り出し可能である。
【００１０】
実行には１以上の以下の特徴を含む。ピッカは定期的な維持管理を必要とする抗バックアップローラを含む。ピッカは単一の手動ノブを使用して、その位置に掛け止められ、或いはその位置から掛け外される。案内構成はピッカの摺動を助ける。
【００１１】
全般に別の態様において、貨幣支払い構造体は貨幣供給容器と、貨幣供給容器から取り出された貨幣を、貨幣が壁を通り使用者へ支払われる位置へ送る紙幣通路と、紙幣通路から送られ且つ壁を通り支払われない貨幣を受け取るレジェクトトレイと、貨幣支払い構造体を壁に支持する取り付け機構を含み、貨幣支払い構造体は別の支持体を要することなく、自立式且つ硬質である。
【００１２】
実行には１以上の以下の構成を含む。取付機構は壁と対向する貨幣支払い構造体の側面上端付近に取付要素を含む。取付要素はピンを含み、各ピンは貨幣支払い構造体に連結される一端と、貨幣支払い構造体から壁と平行な方向へ突出する自由端を有する。取付機構は４個のピンを含み、そのうちの２個は貨幣支払い機構を壁に支持するのに適切である。
【００１３】
全般に別の態様において、ピッカは貨幣供給容器から貨幣を取り出し、且つその貨幣を貨幣が支払われる紙幣通路へ送るために所定の小路に沿って移動させる位置から取り外される。ピッカは所定の小路と直交する方向へ摺動させることにより取り外される。実行には１以上の以下の構成を含む。
【００１４】
実行には１以上の以下の構成を含む。ピッカの一端にあるロケータは、紙幣通路のレセプタと結合する。タブロックはピッカを所定位置に保持するために作動される。
他の特徴及び構成は、以下の説明から及び請求の範囲から理解される。
【発明を実施するための最良の形態】
【００１５】
図面に示すように、貨幣支払機１０は貨幣供給容器１２を含み、貨幣供給容器１２から積み重ねられた貨幣１４は一枚ずつピッカ１６によって容器の開口１８から抜き取られると共に、紙幣通路アセンブリ２０の基底へ送られる。貨幣を拒絶する理由が存在するか（
例えば、二重の貨幣が送り込まれたか）を確かめるために貨幣を検査した後、各貨幣は紙幣通路に沿って上側位置２２へ移動され、上側位置２２において、貨幣は壁２４、例えば現金自動預け払い機（ＡＴＭ）の壁を通り支払われる。次に、壁の他方側にいる客は、貨幣を手に取る。貨幣が拒絶されるならば、貨幣をリジェクトトレイ２６へ経由させる羽根２５によって、貨幣は（支払い位置に到達する前に）そらされる。
【００１６】
貨幣供給容器１２はＰＣ−ＡＢＳ混合プラスチックから成形されると共に、２個の側壁３０，３２と、一体形成される前壁３６を有する。容器の後壁は紙幣通路の前壁３７及びピッカの前壁３９によって設けられる。容器の床３８は中心ガイド４０及び２個の溝部分４２，４３を含むように単独片として成形され、これらは、貨幣が引き抜かれ且つ束が徐々に薄くなるにつれて、貨幣束がピッカの方向４６に沿って滑動するのを許容する。ばね側ガイドは位置４８，５０，５２，５３において、側壁の平坦を支持し且つ維持するのを助けるように、反対側の壁と嵌合する。ガイドレール１０６，１０８も側壁の平坦を支持し且つ維持する。
【００１７】
アーム５４は容器床の一縁から紙幣通路の底部へ向けて延出すると共に、紙幣通路及び貨幣供給容器の間にあるピッカのために空間５６を残す。アームは穴５７を含み、ピッカが挿入され或いは取り外される時に、ボルト５８は穴５７を通り、アームを紙幣通路の底部及びピッカ枠の位置ガイドタブ６１を案内する２個のリブ５９へ取り付けるように使用される。
【００１８】
貨幣容器のアームに沿ったリブ５９は、ピッカが容器アームの表面を横切り導かれるようにタブ６１を案内する。
アーム５４の一方側６０は２個のピン６４，６６及び穴６８を含む。ピンはピッカが装着位置にある時に、ピッカの端壁にある２個の穴７０，７２内に嵌合する。ねじ７１はピッカが装着位置にある時に、枠２２５の穴７５を通り穴６８と連結する。ピンはピッカが装着された時に、ピッカの整列及び位置合わせを助ける。ピッカの他端は、枠２２６に設けられた２個のピンロケータ穴４１，４３と結合する軸端５１，５３を有する。他の枠２２４に据え付けられた四分の一回転スナップファスナー１６９は、ピッカを所定位置に保持するように回転する。永久ファスナは使用されない。
【００１９】
アームを含む貨幣供給容器の底部７６は、容器へ剛性及び強度を与えるように構成された隆起７８パターンを有する。隆起パターンはまた、貨幣支払機及びその構成要素の作動を制御するために使用される回路基板８０を据え付けるのに使用可能な空間を与える。回路基板の一端はソケット８２を含み、ピッカのプラグ８４は、ピッカが装着位置に挿入された時に、ソケット８２に嵌合する。ソケット及びプラグの連結は、ピッカのモータ８６へ動力を供給する。
【００２０】
回路基板の他端は、動力及び通信のために夫々使用される２個のソケット８８，９０を有する。アーム底部の導管９２は、基板のポート９４と、二重検出回路及び紙幣通路の他のセンサの間のケーブルを保持する。
【００２１】
貨幣供給容器内部において、圧力板９６は貨幣束１００（一部のみ図示）を支える平坦面９８と、支持体１０６，１０８に乗る２個の端部１０２，１０４と、束を積み込み或いは積み下ろすために使用者が板を束から離れるように引き戻すことを可能にする２個のフィンガーグリップ１１０，１１２と、容器前壁に据え付けられた回転ロック１１８の関連グリップ１１６と結合するラッチ構造体１１４とを含む。
【００２２】
２個の支持体１０６，１０８は長穴１２０，１２２を介して、容器の両側の壁に据え付けられる。
容器の各側面において、支持体１０６，１０８の下側にはばね荷重駆動輪１２４があり、駆動輪１２４は板をその貨幣束へ向けて引き寄せるために、両端１０２，１０４に連結される。
【００２３】
また、貨幣供給容器の内部には、貨幣束がのる溝を画定する２個の垂直方向ガイド１２８，１３０及び２個の水平方向ガイド１３０，１３４がある。
回転ロック１１８は２個のプラスチック片１４０，１４２から形成され、２片が容器前壁の取付穴を通して反対方向に挿入され、且つ合わせて押圧された時に、結合して一体式ロックを形成する。据え付けられると、所望するように、板を保持し且つ板が貨幣束へ跳ね戻らないように、或いは板を開放するべく、グリップ１１６がラッチ構造体１１４に組み合わされ且つラッチ構造体１１４から組み外されるように、ロックは回転される。グリップのフィンガ１１４は固定位置において、板の面１１４を押圧する。
【００２４】
容器は基部、例えばＡＴＭの一部に容器が固定されるのを許容する２個の脚部１５０，１５２を含む。
ピッカは個々の貨幣を束の上端から取り出すと共に、それらの貨幣各々を下方へ且つ更なる駆動輪１５５，１５７の援助を得て二重検出器（矢印１５９を参照）まで移動させるように回転する３個の駆動輪１５４，１５６，１５８を有し、貨幣は二重検出器において紙幣通路により取り出される。駆動輪１５４，１５６，１５８はピッカの両端に回転可能に据え付けられると共に、ピッカの一端の歯車１６２によって駆動される軸１６０に保持される。歯車１６２は歯車１６４，１６６を含む歯車列によって駆動され、次にはモータ軸のウォーム歯車１６８によって駆動される。駆動輪１５５，１５７は歯車１６６によって駆動される。
【００２５】
容器のアームは案内面１７０，１７２と、ピッカの面及び長穴と対応すると共にピッカが容易に且つ良好な整列状態で挿入及び取り外されるのを可能にするリブ５９を含む。
ピッカを挿入するために、ピッカの案内面及びタブが容器アームの対応する案内長孔及びリブと結合した状態で、ピッカのモータと反対側の端部１７１が貨幣供給容器及び紙幣通路間の空間に挿入される。ピッカは所定位置へ摺動される。ピッカ端部の２個のピンは、紙幣通路の側片の２個の対応する穴に嵌合する。電気ターミナル８４は先に説明したように、貨幣供給容器下側にある回路基板と自動的に接続する。ピッカは図１０の四分の一回転ノブ１６９を使用して、所定位置に保持される。ピッカを取り出すために、工程の逆順序が使用される。
【００２６】
ピッカは容易に取り外され且つ取り替えられるので、その部品の維持管理及び洗浄が単純且つ容易である。装着された時に、ピッカは信頼ある取り出しのために必要に応じて、精確に整列される。
【００２７】
リジェクトトレイ２６は開放端１８１を有すると共に、貨幣支払機を維持し又は拒絶貨幣を積み下ろす権限を持つ人間がいつでも容易に接近可能な一体成形プラスチックユニットである。リジェクトトレイは固定カセットではない。むしろ、貨幣は貨幣支払機から直接的にいつでも積み下ろされる。
【００２８】
リジェクトトレイは前壁１８４及び後壁１８６によって架けられた２個の平行な側壁１８０，１８２を有する。後壁は概して平坦であると共に、貨幣束が取り外される時に、束の後方に手が届くように指の余地を与えるトレイ内部から離れた突起１８８を有する。前壁は貨幣束を回収するために使用者が下方へ手が届くようにするカットアウト１９０と、束を把持するのをより簡単にする別の指突起１９２を有する。重力によりリジェクト小路からトレイへ落下する貨幣が自動的に垂直方向に配向された貨幣束となるように積み重なるように、前壁及び後壁並びに基部１９４の外形は配列される。貨幣１９６が紙幣通路リ
ジェクト小路の緩やかな湾曲から送られた時に、貨幣は小路１９８をたどる。重力によって下方へ且つ慣性によってリジェクトトレイの前壁へ向けて移動されると、貨幣は湾曲面２００において前壁に打ち当ると共に、湾曲を下方へ辿る。貨幣の先端は地点２１２において底壁に打ち当ると共に、地点２１４まで下方へ摺動する。最終的には、貨幣の上縁は束２１８上での位置が得られるように、２１６へ落下する。たとえ所定の貨幣が束に加わるように落下しなくても、次の貨幣又は複数の貨幣が先に受け取られた貨幣の前壁側へ送り込まれ、最終的には貨幣は束の上へ落下する。
【００２９】
紙幣通路１８は貨幣供給アセンブリ２２内に画定される。貨幣供給容器は強く硬い構造体を形成するために、貨幣搬送アセンブリへボルト留めされる。貨幣供給容器の各側面にある２個のボルト２２０，２２２は、容器を貨幣搬送アセンブリの２個の側枠２２４，２２６へ連結する。また、貨幣供給容器のアーム５４の端部は、２個の側枠間に跨る小片２２８において、貨幣搬送アセンブリ底部にボルト留めされる。
【００３０】
ピッカは供給容器内の束から一度に一枚の貨幣を剥ぎ取ると共に、その貨幣を紙幣通路へ搬送するように配置される。ピッカはまた、貨幣を供給容器での垂直方向配置から、紙幣通路へ搬送するために水平方向の向きに向け直される。ピッカは所定位置に保持されるが、貨幣が供給容器から紙幣通路へ移動する方向に沿う小路と直交する方向へピッカを摺動させることにより簡単且つ迅速に取り外され且つ再挿入される。
【００３１】
供給容器から紙幣通路へ送られた貨幣は、２本の平行な軸２３８，２４０に据え付けられた４対の摩擦ローラ２３０，２３２，２３４，２３６によって、紙幣通路に沿って上方へ移動される。
【００３２】
紙幣通路の下端では、貨幣が紙幣通路の上方へ、貨幣が供給容器を去る方向と直交する運動方向へ走行するために、湾曲面２４１が貨幣を水平方向から垂直方向へ向け直す。
紙幣通路の上端では、移動している貨幣は湾曲面２５０によってリジェクトトレイへそらされるか、或いは湾曲面２５６によって支払い位置へそらされる。いずれの方向へ貨幣が移動するかは、２つの位置の間で（軸周りに）回転させられる制御羽根２５の位置に左右される。羽根は貨幣をリジェクトトレイへ拒絶する不履行位置へばね付勢されると共に、支払い位置へ移動させられなければならない。（不履行経路選択は一連の貨幣の第１貨幣のみに作用され、その後一連の貨幣の残りは、その中の一枚でも不備があると判定されない限り、不履行によって支払い位置へ経由される。）
支払い位置へそらされた貨幣は更なる２対の摩擦ローラ２６３，２６４によって、紙幣通路の外へ移動させられる。リジェクトトレイへそらされた貨幣は２対の摩擦ローラ２５８，２５９によって移動させられる。
【００３３】
紙幣通路の下端は、例えば１枚以上の貨幣が一度に供給容器から抜き取られた時を判定するために使用される二重検知機構２７０を支持する。もしそうであるならば、支払機は羽根を拒絶位置へ残すと共に、複数の貨幣がリジェクトトレイへ拒絶される。そうでなければ、羽根は支払い位置へ押しやられると共に、単一の貨幣が顧客へ支払われる。
【００３４】
二重検知機構は、貨幣の厚みを測定し且つそれを最大厚さ値と比較することにより、１枚以上の貨幣が供給容器から抜き取られたか否かを判定するために、ハーフエフェクトセンサを使用する。
【００３５】
貨幣支払機の各枠２２４，２２６は、取付ピン３１０，３１２，３１４，３１６を受け入れるために、上端及び下端に穴３０２，３０４，３０６，３０８を含む。ピンは例えばＡＴＭの壁２４又はドアへ支払機を据え付ける目的で使用される。各ピンはフックラッチ機構３１８，３２０，３２２，３２４（図１では単純なフックのみが図示されているがフ
ックラッチ機構が代わりに用いられてもよい）によって保持される。
【００３６】
各フックラッチ機構は独立して作動させられる。全４個を開放することにより、支払機は壁２４から完全に取り外される。上側の２個の機構のみを開放することにより、紙幣通路の詰め込みを一層するための空間を開放するために、支払機はその上端が壁から離れる方向に移動する状態で、下端の２個のピン周りで旋回する。
【００３７】
全４個のピン又は２個のピンだけからつり下がる支払機の応力によって、支払機の枠又は他の要素の歪み或いは破損が生じることなく支払機がピンに支持されることを、成形要素を含む枠は確実にする。
【００３８】
また、支払機が枠に連結されたピンからつり下がったときには、紙幣供給容器は枠前面及び紙幣通路基底の両方に確実に支持される。容器の枠との相対移動を阻止するために、紙幣供給容器の基底におけるリブ形成は２個の枠からのボスを受け入れる。
【００３９】
従って、たとえ貨幣供給容器が独立式容器として機能しなくても、一般的な自給式貨幣カセットとは異なる。たとえピッカが支払機から取り外し可能であっても、容器が枠に据え付けられ且つピッカがその所定位置に装着された時には、支払機は歪み又は破損に耐えると共に、枠にのみ据え付けられる支持体を使用して壁２４に吊り下げられる強い自立ユニットとして作用する。
【００４０】
紙幣通路に関する更なる詳細、紙幣通路を具体化する構成要素、及び紙幣通路を組み立てるための工程については、紙幣通路の同様な構成を説明している先に引用した発行米国特許出願に見られる。
【００４１】
支払機は少数の軽量物から組み立てられると共に部品の操作が簡単であり、組み立てが迅速且つ安価であるので、その結果得られる支払機は小型、軽量且つ安価である。部品が破損或いは故障した場合の維持管理は容易且つ安価に行われる。
【００４２】
貨幣支払機は例えば小規模の小売店状況での低容量の貨幣支払機環境向けに構成される。店の所有者は、例えば店のレジから金銭を直接貨幣供給容器に充填する。カセットは支払機を保持する金庫内の適当な位置で充填される。支払機は「人目に付くところで」又は店が開店する前に充填される。金庫は例えば営業時間等級よりも強くなく、それ故、金庫は人間の近くに或いは人目に触れるところから隠されないようにしなければならない。銀行の充填又は「現金輸送」は一般的に、取り外し可能又は密封カセットを有さないこの支払機のためには使用されない。
【００４３】
他の実現方法は以下の請求の範囲の範囲内にある。
【図面の簡単な説明】
【００４４】
【図１】貨幣支払機の前左面斜視図。
【図２】貨幣支払機の前右面斜視図。
【図３】貨幣供給容器の左後面斜視図。
【図４】貨幣供給容器の右底面斜視図。
【図５】貨幣支払機の底面斜視図。
【図６】貨幣支払機の後面図。
【図７】ロックの斜視図。
【図８】ロックの斜視図。
【図９】貨幣支払機の後左面斜視図。
【図１０】貨幣支払機の左側面図。
【図１１】リジェクトトレイの斜視図。
【図１２】リジェクトトレイの側面図。
【図１３】貨幣供給容器の部分内部斜視図。
【図１４】貨幣支払機の部分左側面図。
【図１５】ピッカの左側面図。
【図１６】ピッカの斜視図。
【図１７】ピッカの右側面図。
【図１８】ピッカの（貨幣支払機の他の部品との関係を示す）斜視図。
【図１９】ピッカの（駆動機構を示す）斜視図。
【図２０】紙幣通路ハウジングの一方の面を示す斜視図。
【図１】
2007004794.tif 000003
【図２】
2007004794.tif 000004
【図３】
2007004794.tif 000005
【図４】
2007004794.tif 000006
【図５】
2007004794.tif 000007
【図６】
2007004794.tif 000008
【図７】
2007004794.tif 000009
【図８】
2007004794.tif 000010
【図９】
2007004794.tif 000011
【図１０】
2007004794.tif 000012
【図１１】
2007004794.tif 000013
【図１２】
2007004794.tif 000014
【図１３】
2007004794.tif 000015
【図１４】
2007004794.tif 000016
【図１５】
2007004794.tif 000017
【図１６】
2007004794.tif 000018
【図１７】
2007004794.tif 000019
【図１８】
2007004794.tif 000020
【図１９】
2007004794.tif 000021
【図２０】
2007004794.tif 000022
【外国語明細書】
2007004794.tif 000023
2007004794.tif 000024
2007004794.tif 000025
2007004794.tif 000026
2007004794.tif 000027
2007004794.tif 000028
2007004794.tif 000029
2007004794.tif 000030
2007004794.tif 000031
2007004794.tif 000032
2007004794.tif 000033
2007004794.tif 000034
2007004794.tif 000035
2007004794.tif 000036
2007004794.tif 000037
2007004794.tif 000038
2007004794.tif 000039
2007004794.tif 000040
2007004794.tif 000041
2007004794.tif 000042
2007004794.tif 000043
2007004794.tif 000044
2007004794.tif 000045
2007004794.tif 000046
2007004794.tif 000047
2007004794.tif 000048
2007004794.tif 000049
2007004794.tif 000050
2007004794.tif 000051
2007004794.tif 000052
2007004794.tif 000053
2007004794.tif 000054
2007004794.tif 000055
2007004794.tif 000056
2007004794.tif 000057
2007004794.tif 000058
2007004794.tif 000059
2007004794.tif 000060
2007004794.tif 000061
2007004794.tif 000062
2007004794.tif 000063
2007004794.tif 000064